(57)【要約】      （修正有）【課題】飼料タンク本体を支持する支柱にロードセル部を設けた飼料タンクであり、簡易な構造にて、地震時の圧縮、引抜き、横揺れを防止し、かつ安定性が高い飼料タンクを提供する。【解決手段】飼料タンク本体を支持する支柱２と、該支柱の一部と接するロードセル部３と、該ロードセル部と接する交差脚構造の下部台４と、から構成され、前記交差脚構造の下部台が、２本の四角形状の中空管状部材が十字に交差して形成されるものであり、前記交差脚構造の交差部分の角部の内側方向に留具４１を少なくとも設けて飼料タンクの支持台を構成する。【選択図】図２
0003177754.tif 000002
【実用新案登録請求の範囲】
【請求項１】
飼料タンク本体を支持する支柱と、
該支柱の一部と接するロードセル部と、
該ロードセル部と接する交差脚構造の下部台と、から構成され、
前記交差脚構造の下部台が、２本の四角形状の中空管状部材が十字に交差して形成されるものであり、
前記交差脚構造の交差部分の角部の内側方向に留具を少なくとも設ける飼料タンクの支持台。
【請求項２】
前記ロードセル部は、前記支柱の天面締結部材と前記下部台の下面締結部材とに挟まれ、前記支柱の天面締結部材と前記下部台の下面締結部材は引抜き及び横揺れに対応するものである請求項１項記載の飼料タンクの支持台。
【請求項３】
前記支柱の天面締結部材と前記下部台の下面締結部材は、ハイテンションボルトである請求項１又は２記載の飼料タンクの支持台。
【請求項４】
前記支柱が、前記下部台と接することなく浮上している請求項１〜３の何れか１項記載の飼料タンクの支持台。
【請求項５】
前記支柱が、三〜六脚である請求項１〜４の何れか１項記載の飼料タンクの支持台。
【請求項６】
飼料タンク本体を支持し、浮上している支柱と、該支柱の一部と接し飼料タンクの荷重量を計量するロードセル部と、該ロードセル部と接する交差脚構造の下部台と、から構成される飼料タンクの支持台を設ける飼料タンク。
【請求項７】
請求項１〜５の何れか１項記載の飼料タンクの支持台を設ける請求項６記載の飼料タンク。
【考案の詳細な説明】
【技術分野】
【０００１】
本考案は、飼料タンクの支持台及び飼料タンクに関する。
【背景技術】
【０００２】
畜産業において家畜に与える飼料の量及び家畜の体重を管理することは畜産経営上重要である。また、家畜の飼料の供給量及び消費量を正確に把握することで家畜の成長度の予測管理を行うことも可能となる。
特許文献１には、飼料タンク本体内に飼料の量を探知するセンサーを設けたシステムが開示され、このシステムはセンサー位置まで減少したときに信号を発信して知らせ、減少した飼料を飼料配送センターに発注し、飼料タンクに必要な飼料を補充する。しかし、この技術では、飼料タンク本体の内部に飼料の位置を探知するセンサーを設けているだけなので、飼料タンクにある飼料の重さを随時正確に確認することが困難であり、飼料補充時期や家畜の飼育状況を把握することは難しいのが実状である。
【０００３】
また、従来の飼料タンクの基本的な構造として、飼料タンク本体を載置するための支柱は飼料タンク本体及び飼料の重さを支える必要があるため、地中に支柱を埋没させ支柱の周辺をコンクリート等で固定化させ、支柱を安定化させるのが一般的であり、これにより飼料タンクの地震等による横揺れや引抜き等を防いでいる（例えば、特許文献２の図１〜３参照）。
ところで、ロードセルによって車両等の重さを測ることが行われており、このロードセルは、力に比例して変形する起歪体とその変形量“ひずみ”を測定してロードセルに載っている物の重さを導き出している。そして、このロードセルを飼料タンクに設けて、飼料の重さを測ることが検討されている。しかし、特に飼料タンクは野外に設置されるため、ロードセルを地面等に接する支柱の最下部に設けた場合、雨水等により腐食されてしまう問題がある。
【先行技術文献】
【特許文献】
【０００４】
【特許文献１】特開平６−３１６３３６号公報
【特許文献２】特開２００９−１９０７５７号公報
【考案の概要】
【考案が解決しようとする課題】
【０００５】
例えば、単純に、飼料タンクの支柱の最下部に直線形状の下部台を設け、支柱と下部台の間にロードセル部を設置することが考えられる。しかし、この直線形状では、安定性が悪く、特に地震等の揺れに対応することができない。
さらに、種々の補強材等を高度に組み合わせることにより飼料タンクの安定性や荷重強度の低下を防ぐことも考えられるが、飼料タンクの設置コストや工事期間の短縮等も考えると、できるだけ簡易な構造で安定性が高く、荷重強度が向上する飼料タンクの支持台が望まれる。
そこで、本考案は、飼料タンク本体を支持する支柱にロードセル部を設けた飼料タンクであり、簡易な構造にて、揺れを防止し、かつ安定性が良好な飼料タンクを提供しようとするものである。
【０００６】
上記課題を解決するため、本考案は、飼料タンク本体を支持する支柱と、該支柱の一部と接するロードセル部と、該ロードセル部と接する交差脚構造の下部台と、から構成され、前記交差脚構造の下部台が、２本の四角形状の中空管状部材が十字に交差して形成されるものであり、前記交差脚構造の交差部分の角部の内側方向に留具を少なくとも設ける飼料タンクの支持台を提供する。
前記ロードセル部は、前記支柱の天面締結部材と前記下部台の下面締結部材とに挟まれ、前記支柱の天面締結部材と前記下部台の下面締結部材は引抜き及び横揺れに対応するものであることが好ましい。前記締結部材は、ハイテンションボルトであるのが好適である。
前記支柱が、前記下部台と接することなく浮上していることが好ましい。
前記ロードセル部と接する締結部材が、交差脚構造の中央で固定板を用いて固定されることが好ましい。
前記支柱が、三〜六脚であることが好ましい。
【０００７】
本考案は、飼料タンク本体を支持し、浮上している支柱と、該支柱の一部と接し飼料タンクの荷重量を計量するロードセル部と、該ロードセル部と接する交差脚構造の下部台と、から構成される飼料タンクの支持台を設ける飼料タンクを提供する。
【考案の効果】
【０００８】
本考案により、簡易な構造にて、揺れを防止し、かつ安定性が良好な飼料タンクとすることが可能となる。
【図面の簡単な説明】
【０００９】
【図１】図１は本考案に係る飼料タンク１０の第１実施形態を示す斜視図である。
【図２】図２は本考案に係る飼料タンク１０のロードセル部３及び下部台４周辺の拡大図である。
【図３】図３Ａは、下部台４の上面図である。図３Ｂは下部台４のＰ−Ｐの断面図である。
【図４】図４Ａは、ロードセル部３を有する支柱２と、下部台４とを連結する状態を示す。図４Ｂは、ロードセル部３を有する支柱２と、下部台４とが連結した状態を示す。
【考案を実施するための形態】
【００１０】
以下、本考案を実施するための好適な形態について図面を参照しながら説明する。なお、以下に説明する実施形態は、本考案の代表的な実施形態の一例を示したものであり、これにより本考案の範囲が狭く解釈されることはない。
【００１１】
本考案の飼料タンク１０は、飼料タンク本体１の支持台５を備えるものである。当該飼料タンク本体１の支持台５は、複数の支持台にて飼料タンク本体１を載置し、支持するものである。
飼料タンク本体１には、飼料を搬入させるための飼料投入口が設けられており、当該飼料投入口（蓋）は飼料タンクの上部に設けられていることが好ましい。この飼料投入口から、バルク車等の飼料運搬車からの飼料を飼料タンク本体に投入する。
また、飼料タンク本体１には、飼料を搬出するための飼料搬出口が設けられており、当該飼料搬出口は飼料タンク本体の下部に設けられていることが飼料を搬出しやすい点から好ましい。この飼料搬出口から、家畜を飼育している施設に搬出する。
【００１２】
そして、本考案の飼料タンクの支持台５は、飼料タンク本体１を支持する支柱２と、該支柱２の一部と接するようにロードセル部３が設けられ、当該ロードセル部３と接する交差脚構造の下部台４から構成されている（図１〜４参照）。以下、本考案の飼料タンクの支持台５について説明する。
【００１３】
支柱２は、タンク本体１を支持することができるものであれば特に限定されず、例えば中空管状に形成し得るものが挙げられる。この支柱２は、鉄パイプ等の中空管状の金属や樹脂等により形成されたものであるのが好適である。この支柱２の水平断面の形状は、円状、四角形状等のいずれでもよい。また、支柱２の材質は強度の点から、金属が好ましい。
支柱２の数は、タンク本体１を載置することが可能であれば特に限定されず、三〜六脚とすることが可能である。設置時のコスト及び揺れ防止の観点から、三脚、四脚及び六脚が好ましい。
また、支柱２と支柱２とを略水平方向で固定するための水平部材２３が単数又は複数設けられることが好ましい。飼料タンクに設置した支柱２同士を水平部材２３で固定し、リング状、四角状、六角状等に囲うのが好適である。これにより、揺れを防止し、安定性を高くすることができる。
なお、支柱２が複数の場合、それぞれの支柱の下部に、ロードセル部３が設置されることが望ましい。
【００１４】
支柱２の下部には、ロードセル部３に該支柱の一部が接するような構造が設けられている。当該構造として、例えば、ロードセル部３の天面を押すための天面締結部材２１を天面固定部材２４に設けることが好ましい。天面固定部材２４の下面の中央部分に天面締結部材２１を設けるのが、好適である。
【００１５】
天面締結部材２１は、ロードセル部３の天面に接し、支柱２の下部に設けられている天面固定部材２４に固定されている。
前記天面締結部材２１は、ロードセル部３の天面を押すことで、ロードセル部３を後述の下面締結部材４２とで挟んだ状態になっている。このように天面締結固定部材２１をロードセル部３に接するように固定することで、天面締結部材２１が支柱の一部として、飼料を含む飼料タンク本体１及び各支柱２の重さを、各天面締結部材２１を介して対応する各ロードセル部３の天面に荷重させることが可能となる。
また、天面締結部材２１及び下面締結部材４２で挟むという簡易な構造にて、ロードセル部での飼料量の逐次測定も可能となると共に、交差脚構造の下部台４と協働して飼料タンク本体１を安定的に支持することができる。また、この簡易構造で、地震等による引抜きを抑制すること及び飼料を含む飼料タンクの重みなどによる圧縮力に耐え得ることができる。これにより、地震等の揺れ防止及び荷重強度の向上も可能となる。
【００１６】
天面締結部材２１は、例えばボルト、ナット、ワッシャー、カラーなどから構成されるものを挙げることができる。なお、後述する下面締結部材４２は、天面締結部材２１と同様の構成及び効果の締結部材である。
さらに締結部材（天面締結部材２１，下面締結部材４２）は、ストッパーや補強などといった目的に応じたプレートを適宜使用してもよい。
例えば、ストッププレート４６は、天面締結部材２１でロードセル部３を押した際に、係止部２２と接しないように下面締結部材４２に設けられている。さらに、ストッププレート４６と固定板４３との間に、これらを支持し、地震等の横揺れ防止等のためのカラーを設けることが好ましい。
また、例えば、固定板４３は、下部台４の中央部分の上面に接するように設ける。固定板４３の径（長径又は直径）は支柱の径（長径又は直径）よりも短いのが好適である。そして、固定板４３は、下面締結部材４２を下部台４に固定する際に下部台４に固定される。
【００１７】
締結部材（天面締結部材２１，下面締結部材４２）は、ハイテンションボルト（高張力ボルト）であるのが好ましい。このハイテンションボルトとは、高張力の鋼で作られた強度の高いボルトであり、例えば、摩擦接合用高力の六角ボルト、カラー及びワッシャーから構成されるものをいう。ボルトの直径は、１６〜３０ｍｍ程度であれば、引抜き力や圧縮時、揺れに効率良く対応することが可能である。
このハイテンションボルトの一般的な締付けは、一次締め付け、本締めと二度締めを行う；通常六角ボルトよりも高いトルクで締付けを行う。このハイテンションボルトとして、例えばＦ１０Ｔ、Ｆ８Ｔが挙げられるが、少なくともＦ８Ｔを用いるのが好適である。なお、Ｆ１０Ｔはボルトの強さ１０００Ｎ／ｍｍ２、Ｆ８Ｔはボルトの強さ８００Ｎ／ｍｍ２の規格に適したものである。
また、例えば、天面締結部材２１を天面固定部材２４に固定する場合、１個のナットと１個のカラーで天面固定部材２４を挟むことが好適である。
例えば、下面締結部材４２を下部台４に固定する場合、１個のカラーと１個のナット及び固定板４３とで中空管状の下部台４の上面を挟むことが好適である。
【００１８】
支柱２の下部方向には、支柱２の一部と接するロードセル部３が設けられている。さらに、当該ロードセル部３の下面は、交差脚構造の下部台４の一部と接する。当該ロードセル部３の数は、飼料タンクの１基あたりの支柱の数に対応するように設置することが好ましい。
当該ロードセル部３は、支柱２の下部の内側に設けられた空間（例えば中空）に収納されていることが好適である。この空間の下方には、支柱２の内側に係止部２２が設けられている。この係止部２２と、交差脚構造の下部台に設けられている下面締結部材に設けられたストッププレート４６とは接触せず、ロードセル部が浮上した状態になっている（図４Ｂ）。
【００１９】
下部台４は、交差脚構造を有するものである。当該交差脚構造は、複数（好適には２本）の直線（Ｉ字）形状の部材が交差するように組み合わせて形成されることが好ましい。交差脚構造の交差の角度は特に限定されないが、略直交するような十字形状が好適である。
直線形状の下台では、地震等の揺れに対して安定性に欠ける。これに対し、交差脚構造とすることで、飼料を含む飼料タンク及び支柱の荷重に応じることができる。また、地震等の揺れを防止することができ、さらに交差部分の周辺の圧縮強度を向上させることができる。さらに、支柱の安定性が向上するため、ロードセル部による自動的測定に、精度よく飼料量予測、管理を行うことが可能となる。
【００２０】
前記交差脚構造を形成するための部材は中空管状であるのが好適である。この中空構造部材の短手方向の断面形状は四角形状が好適である。そして、中空部材の長手方向の断面形状は上辺が短い台形形状が好適である。下辺は３５０〜４５０ｍｍ程度であるのが好ましい。また、中空管状の金属の厚みは６〜１５ｍｍ程度であるのが好ましい。
この中空管状部材は、その両端を固定部材４４にて地面に固定されることが好適である。さらに、地面と固定部材４４との間に固定プレートを設けることが、揺れ防止の点で効果的である。この固定プレートの対角線上に交差脚構造が配置することが好適である。
【００２１】
また、交差する部分は、前述した下面締結部材４２で固定されていることが好ましい。さらに、下部台４の上面に設ける固定板４３も下面締結部材４２で固定することが好ましい。交差脚構造と固定板４３とを組み合わせることで、荷重強度を向上させることができる。固定板４３は、浮上した際に支柱２の最下部と接しないように設計されているが、その厚みは１０〜２２ｍｍ程度であるのが好適である。そして固定板４３は厚みが薄くとも、交差脚構造を併用していることから、荷重強度も向上させることが可能である。
なお、下面締結部材４２の構成及び効果については、前述した天面締結部材２１で説明したとおりである。
【００２２】
また、交差脚構造の交差部分の角部の少なくとも一つに留具４１を設けることが好適である。なお、当該角部の全てに留具４１を設けてもよい。この留具４１は、支柱２に接しないように隙間を設けて下部台４に設置されていることが好適である。さらに、留具４１は、角部の内側方向に少なくとも設けられていることが好ましい。留具４１を各支柱の内側方向に、少なくとも１箇所設置すると、地震等の横揺れの際に支柱２と接触して、飼料タンクの地震等の横揺れを防止することが可能となる。当該留具４１の水平断面の形状は、横揺れに耐える形状であればよい。例えば、Ｌ字形状であることが好ましい。
【００２３】
図４Ａ及びＢを参照して、飼料タンクの支持台５の施工の一例について説明するが、本考案はこれに限定されるものではない。
図４Ａに示すように、ロードセル部３は、支柱２の下部方向の内側の空間に収容されている。この空間部分は、支柱２の側面の一つが開放された状態の空間が好ましい。開放されていることにより、ロードセル部の調整や交換などのメンテナンス作業が容易となり、またロードセル部からパーソナルコンピュータなどに接続するための接続コードの配置が容易となる。
さらに、支柱２に設けられている天面固定部材２４の中央部分に設けられた穴に、天面締結部材２１が配置されている。また、支柱２に設けられたロードセル収納部及び天面固定部材は、支柱とは別構造としても良い。
交差脚構造を有する下部台４の中央部分の穴及び下部台４の上に配置した固定板４３の中央部分の穴には、下面締結部材４２が配置されている。そして、下面締結部材４２にて下部台４を構成する直線形状の部材同士及び固定板を固定している。また、下部台４を構成する直線形状の部材の両端は固定部材４４にて地面に固定されている。
【００２４】
下面締結部材４２のストッププレート４６が、支柱２の係止部２２の上方に配置される。
天面締結部材２１の先端をロードセル部３の天面を押すことで、ロードセル部３の下面が下面締結部材４２の上端に接するようになる。さらに天面締結部材２１を押すことで、飼料タンク本体１を支持する支柱２の最下部が下部台４と接することがなくなり、支柱２が浮上する。このとき、天面固定部材２４とロードセル部３の天面との距離ｄが長くなる。また、浮上する距離は安定性向上等のため１０ｍｍ程度が好ましい。また、地震等の揺れの際の引抜力には、ストッププレート４６と係止部２２とが接触し、支柱２の安定性が向上する。
【００２５】
このように飼料タンク本体１を支持する支柱２が浮上することによって、飼料を含む飼料タンク本体１及び各支柱２の重さが、ロードセル部３に荷重される。ロードセル部３は、ケーブルを介して管理システム（例えばパーソナルコンピュータ）と接続することによって、飼料の重さの測定ができるようになる。
管理システムには、ＣＰＵ（Central Processing Unit）、メモリ、入出力インターフェイス部及びハードディスクなどが設けらている。さらに、インターネットに接続されることで、サーバ、クラウドシステムにて各種データを管理することも可能である。
【００２６】
ロードセル部３では、飼料を含む飼料タンクの増減は、飼料タンク本体１と各支持体の重さは変動しないため、これらの差が飼料の増減として測定される。そして、飼料が家畜に供給されることで飼料タンク中の飼料の重さが変動することから、ロードセル部３から管理システムにデータが送信され、この管理システムにて、飼料の重さを自動的にリアルタイムに正確に測定（モニタリング）することが可能となる。
さらに、当該管理システムにて、飼料の重さは、飼料の供給量及び家畜の消費量であることから、家畜の成長度合いの予測、管理を行うことが可能となる。当該管理システムでは、飼料タンクへの飼料の搬入時期や家畜への給餌時期も予測、管理することが可能となる。
【００２７】
また、一般的に飼料タンクは、飼料を含む飼料タンク本体及び支柱の重さが非常に重く、また野外設置であるため、地震や風等の揺れも想定しなければならないが、前述した本考案の飼料タンクの下部台は、簡易な構造で、荷重強度及び安定性向上等を奏することができることは非常に有益な点と言える。よって、本考案によれば、飼料タンク本体を支持する支柱にロードセル部を設けた飼料タンクであり、簡易な構造にて、地震時の圧縮、引抜き、横揺れを防止し、かつ安定性が高い飼料タンクを提供できる。
【００２８】
本開示は、以下の構成を採用することも可能である。
〔１〕  飼料タンク本体を支持する支柱と、該支柱の一部と接するロードセル部と、該ロードセル部と接する交差脚構造の下部台と、から構成され、前記交差脚構造の下部台が、２本の四角形状の中空管状部材が十字に交差して形成されるものであり、前記交差脚構造の交差部分の角部の内側方向に留具を少なくとも設ける飼料タンクの支持台。
〔２〕  前記ロードセル部は、前記支柱の天面締結部材と前記下部台の下面締結部材とに挟まれ、前記支柱の天面締結部材と前記下部台の下面締結部材は引抜き及び横揺れに対応するものである前記〔１〕項記載の飼料タンクの支持台。
〔３〕  前記支柱の天面締結部材と前記下部台の下面締結部材は、ハイテンションボルトである前記〔１〕又は〔２〕記載の飼料タンクの支持台。
〔４〕  前記支柱が、前記下部台と接することなく浮上している前記〔１〕〜〔３〕の何れか１項記載の飼料タンクの支持台。
〔５〕  前記ロードセル部と接する締結部材が、交差脚構造の中央で固定板を用いて固定される前記〔１〕〜〔４〕の何れか１項記載の支持台。
〔６〕  前記支柱が、三〜六脚である前記〔１〕〜〔５〕の何れか１項記載の飼料タンクの支持台。
【００２９】
〔７〕  飼料タンク本体を支持し、浮上している支柱と、該支柱の一部と接し飼料タンクの荷重量を計量するロードセル部と、該ロードセル部と接する交差脚構造の下部台と、から構成される飼料タンクの支持台を設ける飼料タンク。
〔８〕  前記〔１〕〜〔６〕の何れか１項記載の飼料タンクの支持台を設ける前記〔７〕記載の飼料タンク。
【符号の説明】
【００３０】
１  飼料タンク本体；１０  飼料タンク
２  支柱；２１  天面締結部材；２２  係止部；２３  水平部材；  ２４天面固定部材
３  ロードセル部
４  下部台；４１  留具；４２  下面締結部材；４３  固定板；４４  固定部材；ストッププレート
【図１】
0003177754.tif 000003
【図２】
0003177754.tif 000004
【図３】
0003177754.tif 000005
【図４】
0003177754.tif 000006